(57)【要約】【課題】原稿をスキャンして得られたデータを、ＵＳＢメモリーなどの携帯型記憶媒体を介してパソコンなどの情報処理端末に取り込む構成において、従来よりも、画像の品質を早く確認することができ、かつネットワーク負荷を軽減する。【解決手段】  ＭＦＰ１は、原稿をスキャンして第１の中間データＤ１（ＰＤＦ）を生成する第１画像処理Ｘ１と、第１の中間データＤ１から文字領域を抽出し、ＯＣＲ処理を施して第２の中間データＤ２（テキストデータ）を生成する第２画像処理Ｘ２を実行する。第１の中間データＤ１はＵＳＢメモリー３に書込み、ＵＳＢメモリー３を介してパソコン２に引き渡す。第２の中間データＤ２は、ＬＡＮ４を介してパソコン２に送信する。パソコン２において、第１の中間データＤ１と第２の中間データＤ２とを組み合わせる第３画像処理Ｘ３を実行し、所定フォーマットのファイル（サーチャブルＰＤＦ）を生成するように構成した。【選択図】図６
2015088773.tif 000002
【特許請求の範囲】
【請求項１】
スキャナー機能を有する画像処理装置と、当該画像処理装置にネットワークを介して通信可能に接続される情報処理端末とを有し、原稿をスキャンして得られる画像データから所定フォーマットのファイルを生成する画像処理システムであって、
前記画像処理装置は、
前記画像データを圧縮変換して第１の中間データを生成する第１画像処理手段と、
前記画像データおよび第１の中間データのいずれか一方のデータから文字領域を抽出し、前記第１画像処理手段とは異なる画像処理を施して第２の中間データを生成する第２画像処理手段と、
前記第１の中間データを、携帯型の記憶媒体に書き込む書込手段と、
前記第２の中間データを、ネットワークを介して前記情報処理端末に送信する送信手段と、を備え、
前記情報処理端末は、
前記携帯型の記憶媒体から第１の中間データを読み出す読出手段と、
前記画像処理装置から送信されてくる第２の中間データを取得するデータ取得手段と、
前記第１および第２の中間データを組み合わせて前記所定フォーマットのファイルを生成する第３画像処理手段と、
前記第１の中間データを表示する表示手段と
を備えることを特徴とする画像処理システム。
【請求項２】
前記画像処理装置は、前記第１および第２の中間データから前記所定フォーマットのファイルを生成するためのファイル生成プログラムを記憶する記憶手段を有し、
当該ファイル生成プログラムが、前記書込手段により前記携帯型の記憶媒体に書き込まれ、
前記情報処理端末において、前記第３画像処理手段が、前記携帯型の記憶媒体から前記ファイル生成プログラムを取得して実行することにより、所定フォーマットのファイルを生成することを特徴とする請求項１に記載の画像処理システム。
【請求項３】
前記書込手段は、前記携帯型の記憶媒体に前記ファイル生成プログラムが既に書き込まれている場合には、当該ファイル生成プログラムの書き込み動作を行わない
ことを特徴とする請求項２に記載の画像処理システム。
【請求項４】
前記画像処理装置は、ユーザーに、画像データから生成する所定フォーマットのファイルを複数種類の中から選択させる選択手段を有し、
選択されたフォーマットのファイルに対応して、前記第１〜第３画像処理手段により実行される画像処理が切り替えられる
ことを特徴とする請求項１に記載の画像処理システム。
【請求項５】
前記複数種類のフォーマットのファイルの中に、画像データと検索用テキストデータのレイヤーを有するテキスト付きＰＤＦファイルが含まれ、
前記選択手段を介してテキスト付きＰＤＦファイルが選択された場合、前記第１画像処理手段が、第１の中間データとしてのＰＤＦファイルの画像データを生成し、
前記第２画像処理手段が、前記ＰＤＦファイルから抽出した文字領域に対してＯＣＲ処理を施し、第２の中間データとしてのテキストデータを生成し、
前記第３画像処理手段が、前記ＰＤＦファイルの画像データのレイヤーに、テキストデータのレイヤーを貼り付けて、前記テキスト付きＰＤＦファイルを生成する
ことを特徴とする請求項４に記載の画像処理システム。
【請求項６】
前記複数種類のフォーマットのファイルの中に、高圧縮ＰＤＦファイルが含まれ、
前記選択手段を介して高圧縮ＰＤＦファイが選択された場合、前記第１画像処理手段が、第１の中間データとしてのＰＤＦファイルの画像データを生成し、
前記第２画像処理手段が、前記ＰＤＦファイルから抽出した文字領域に対して二値化処理を施して、第２の中間データとしての前記文字領域の高圧縮データを生成し、
前記第３画像処理手段が、前記ＰＤＦファイルの画像データのうち、文字領域のデータを前記高圧縮データに置き換えることを特徴とする請求項４に記載の画像処理システム。
【請求項７】
前記複数種類のフォーマットのファイルの中に、マークアップ言語で記述されたタグ付きファイルが含まれ、
前記選択手段を介してタグ付きファイが選択された場合、前記第１画像処理手段が、第１の中間データとしてのＰＤＦファイルの画像データを生成し、
前記第２画像処理手段が、前記ＰＤＦファイルから抽出した文字領域に対してＯＣＲ処理を施し、第２の中間データとしてのテキストデータを生成するとともに、前記ＰＤＦファイルの文字領域以外の領域を切り出す切出座標データを取得して、前記第２の中間データに含め、
前記第３画像処理手段が、前記第２の中間データに含まれる前記切出座標データに基づき、前記ＰＤＦファイルから文字領域以外の領域の画像データを切り出し、切り出した画像データと、前記第２の中間データに含まれるテキストデータに所定のタグを付加してタグ付きファイルを生成することを特徴とする請求項４に記載の画像処理システム。
【請求項８】
前記画像処理装置は、前記第２の中間データを格納する格納手段を有し、
前記書込手段が、前記第１の中間データとともに、前記第２の中間データの格納先に関する情報を前記携帯型の記憶媒体に書き込むように構成され、
前記情報処理端末は、前記携帯型の記憶媒体から前記第２の中間データの格納先に関する情報を取得する格納先情報取得手段を有し、
前記データ取得手段が、得られた格納先に関する情報に基づいて、前記画像処理装置に対し、第２の中間データを要求する
ことを特徴とする請求項１〜７のいずれかに記載の画像処理システム。
【請求項９】
前記情報処理端末は、携帯型端末であって、前記画像処理装置とネットワークを介さずに接続するための接続手段と、前記携帯型の記憶媒体として使用される内部記憶手段と、を有し、
前記画像処理装置とネットワークを介さずに接続された状態において、前記内部記憶手段に前記第１の中間データが書き込まれる
ことを特徴とする請求項１〜７のいずれかに記載の画像処理システム。
【請求項１０】
前記画像処理装置は、前記携帯型端末の内部記憶手段に第１の中間データを書き込む際、当該携帯型端末に、ネットワークを介してアクセスするための情報を取得するアクセス情報取得手段を有し、前記第２画像処理の完了後、前記アクセス情報取得手段により取得された情報に基づいて前記携帯型端末にアクセスして、生成された第２の中間データを送信することを特徴とする請求項９に記載の画像処理システム。
【請求項１１】
スキャナー機能を有し、ネットワークを介して情報処理端末と通信可能に接続される画像処理装置であって、
原稿をスキャンして得られた画像データを圧縮変換して第１の中間データを生成する第１画像処理手段と、
前記第１の中間データから文字領域を抽出し、前記第１画像処理手段とは異なる画像処理を施して第２の中間データを生成する第２画像処理手段と、
前記第１の中間データを、携帯型の記憶媒体に書き込む書込手段と、
前記第２の中間データを、ネットワークを介して前記情報処理端末に送信する送信手段と、を備えることを特徴とする画像処理装置。
【請求項１２】
スキャナー機能により原稿をスキャンして得られる画像データから、所定フォーマットのファイルを生成するための第１および第２の２つの中間データを生成する手段、前記第１の中間データを携帯型の記憶媒体に書き込む手段、前記第２の中間データをネットワークに送信する手段を備えた画像処理装置と、ネットワークを介して通信可能に接続される情報処理端末であって、
前記携帯型の記憶媒体に書き込まれた第１の中間データを読み出す読出手段と、
ネットワークを介して前記画像処理装置から送信されてくる第２の中間データを取得するデータ取得手段と、
前記第１および第２の中間データを組み合わせて所定フォーマットのファイルを生成する画像処理手段と、
前記第１の中間データを表示する表示手段とを備えることを特徴とする情報処理端末。
【発明の詳細な説明】
【技術分野】
【０００１】
本発明は、スキャナー機能を有する画像処理装置と情報処理端末で構成される画像処理システムに関し、特に、原稿をスキャンして得られた画像データを画像処理して情報処理端末に取り込む技術に関する。
【背景技術】
【０００２】
複写機などの画像処理装置は、原稿画像を読み取るためのスキャナーを有し、読み取った画像データに基づいて記録シートに画像を印刷するコピーモードや、印刷せずに読み取った画像データを所定のフォーマットに変換して保存するスキャンモードを備えている。
このスキャンモードにおいて、データの保存先や、データの出力フォーマットを選択可能に構成されたものがある（例えば、特許文献１）。
【０００３】
特許文献１に記載の画像処理装置は、スキャンモードでのデータの保存先として、装置内の記憶領域や、ＵＳＢメモリー、ネットワークを介して接続されるパソコンなどが選択可能であり、出力フォーマットとして、ＰＤＦ、ＪＰＥＧ、またはＭＳ−ＷＯＲＤなどのワープロフォーマット等が選択可能に構成されている。
特に、保存先としてＵＳＢメモリーを選択した場合には、ＵＳＢメモリーを介してデータをパソコンに取り込めるので、データがネットワーク上を流れず、ネットワーク負荷を軽減することができるという利点がある。
【先行技術文献】
【特許文献】
【０００４】
【特許文献１】特開２０１１−７１５７８号公報
【発明の概要】
【発明が解決しようとする課題】
【０００５】
しかしながら、上記スキャンモードにおいて、保存先にＵＳＢメモリーを選択した場合には、原稿画像が読み取られ、所定フォーマットのデータが生成されてＵＳＢメモリーに保存されるまでの間、ユーザーは、画像処理装置の傍で待たなければならい。特に、ワープロフォーマットのように、画像データから文字領域を抽出し、ＯＣＲ処理によるテキスト化などの画像処理が必要な場合には、その分、待ち時間も長くなって、ユーザーにストレスを与えてしまうという問題がある。また、この場合、読み取った画像の品質をすぐに確認することができない。画像品質が不良のとき、ユーザーは、スキャンモードの設定（例えば解像度、階調等）を変更し、原稿の再読み込みを行うので、できるだけ早く画像の品質を確認したいという要望がある。
【０００６】
本発明は、上述のような問題に鑑みてなされたものであって、原稿をスキャンして得られたデータを、ＵＳＢメモリーなどの携帯型の記憶媒体を介してパソコンなどの情報処理端末に取り込む構成において、従来よりも、読み取った画像の品質を早く確認することができ、かつネットワーク負荷を軽減することができる画像処理システム、画像処理装置および情報処理端末を提供することを目的とする。
【課題を解決するための手段】
【０００７】
上記目的を達成するため、本発明に係る画像処理システムは、スキャナー機能を有する画像処理装置と、当該画像処理装置にネットワークを介して通信可能に接続される情報処理端末とを有し、原稿をスキャンして得られる画像データから所定フォーマットのファイルを生成する画像処理システムであって、前記画像処理装置は、前記画像データを圧縮変換して第１の中間データを生成する第１画像処理手段と、前記画像データおよび第１の中間データのいずれか一方のデータから文字領域を抽出し、前記第１画像処理手段とは異なる画像処理を施して第２の中間データを生成する第２画像処理手段と、前記第１の中間データを、携帯型の記憶媒体に書き込む書込手段と、前記第２の中間データを、ネットワークを介して前記情報処理端末に送信する送信手段と、を備え、前記情報処理端末は、前記携帯型の記憶媒体から第１の中間データを読み出す読出手段と、前記画像処理装置から送信されてくる第２の中間データを取得するデータ取得手段と、前記第１および第２の中間データを組み合わせて前記所定フォーマットのファイルを生成する第３画像処理手段と、前記第１の中間データを表示する表示手段とを備えることを特徴とする。
【０００８】
ここで、前記画像処理装置は、前記第１および第２の中間データから前記所定フォーマットのファイルを生成するためのファイル生成プログラムを記憶する記憶手段を有し、当該ファイル生成プログラムが、前記書込手段により前記携帯型の記憶媒体に書き込まれ、前記情報処理端末において、前記第３画像処理手段が、前記携帯型の記憶媒体から前記ファイル生成プログラムを取得して実行することにより、所定フォーマットのファイルを生成する構成とするのが望ましい。
【０００９】
また、前記書込手段は、前記携帯型の記憶媒体に前記ファイル生成プログラムが既に書き込まれている場合には、当該ファイル生成プログラムの書き込み動作を行わないよう構成するのが望ましい。
前記画像処理装置は、ユーザーに、画像データから生成する所定フォーマットのファイルを複数種類の中から選択させる選択手段を有し、選択されたフォーマットのファイルに対応して、前記第１〜第３画像処理手段により実行される画像処理が切り替えられるよう構成するのが望ましい。
【００１０】
ここで、前記複数種類のフォーマットのファイルの中に、画像データと検索用テキストデータのレイヤーを有するテキスト付きＰＤＦファイルが含まれ、前記選択手段を介してテキスト付きＰＤＦファイルが選択された場合、前記第１画像処理手段が、第１の中間データとしてのＰＤＦファイルの画像データを生成し、前記第２画像処理手段が、前記ＰＤＦファイルから抽出した文字領域に対してＯＣＲ処理を施し、第２の中間データとしてのテキストデータを生成し、前記第３画像処理手段が、前記ＰＤＦファイルの画像データのレイヤーに、テキストデータのレイヤーを貼り付けて、前記テキスト付きＰＤＦファイルを生成するよう構成することができる。
【００１１】
また、前記複数種類のフォーマットのファイルの中に、高圧縮ＰＤＦファイルが含まれ、前記選択手段を介して高圧縮ＰＤＦファイが選択された場合、前記第１画像処理手段が、第１の中間データとしてのＰＤＦファイルの画像データを生成し、前記第２画像処理手段が、前記ＰＤＦファイルから抽出した文字領域に対して二値化処理を施して、第２の中間データとしての前記文字領域の高圧縮データを生成し、前記第３画像処理手段が、前記ＰＤＦファイルの画像データのうち、文字領域のデータを前記高圧縮データに置き換えるよう構成することができる。
【００１２】
さらに、前記複数種類のフォーマットのファイルの中に、マークアップ言語で記述されたタグ付きファイルが含まれ、前記選択手段を介してタグ付きファイが選択された場合、前記第１画像処理手段が、第１の中間データとしてのＰＤＦファイルの画像データを生成し、前記第２画像処理手段が、前記ＰＤＦファイルから抽出した文字領域に対してＯＣＲ処理を施し、第２の中間データとしてのテキストデータを生成するとともに、前記ＰＤＦファイルの文字領域以外の領域を切り出す切出座標データを取得して、前記第２の中間データに含め、前記第３画像処理手段が、前記第２の中間データに含まれる前記切出座標データに基づき、前記ＰＤＦファイルから文字領域以外の領域の画像データを切り出し、切り出した画像データと、前記第２の中間データに含まれるテキストデータに所定のタグを付加してタグ付きファイルを生成するよう構成することができる。
【００１３】
前記画像処理装置は、前記第２の中間データを格納する格納手段を有し、前記書込手段が、前記第１の中間データとともに、前記第２の中間データの格納先に関する情報を前記携帯型の記憶媒体に書き込むように構成され、前記情報処理端末は、前記携帯型の記憶媒体から前記第２の中間データの格納先に関する情報を取得する格納先情報取得手段を有し、前記データ取得手段が、得られた格納先に関する情報に基づいて、前記画像処理装置に対し、第２の中間データを要求する構成とすることもできる。
【００１４】
ここで、前記情報処理端末は、携帯型端末であって、前記画像処理装置とネットワークを介さずに接続するための接続手段と、前記携帯型の記憶媒体として使用される内部記憶手段と、を有し、前記画像処理装置とネットワークを介さずに接続された状態において、前記内部記憶手段に前記第１の中間データが書き込まれる構成とすることもできる。
また、前記画像処理装置は、前記携帯型端末の内部記憶手段に第１の中間データを書き込む際、当該携帯型端末に、ネットワークを介してアクセスするための情報を取得するアクセス情報取得手段を有し、前記第２画像処理の完了後、前記アクセス情報取得手段により取得された情報に基づいて前記携帯型端末にアクセスして、生成された第２の中間データを送信する構成とすることもできる。
【００１５】
また、本発明に係る画像処理装置は、スキャナー機能を有し、ネットワークを介して情報処理端末と通信可能に接続され、原稿をスキャンして得られた画像データを圧縮変換して第１の中間データを生成する第１画像処理手段と、前記第１の中間データから文字領域を抽出し、前記第１画像処理手段とは異なる画像処理を施して第２の中間データを生成する第２画像処理手段と、前記第１の中間データを、携帯型の記憶媒体に書き込む書込手段と、前記第２の中間データを、ネットワークを介して前記情報処理端末に送信する送信手段と、を備えることを特徴とする。
【００１６】
本発明に係る情報処理端末は、スキャナー機能により原稿をスキャンして得られる画像データから、所定フォーマットのファイルを生成するための第１および第２の２つの中間データを生成する手段、前記第１の中間データを携帯型の記憶媒体に書き込む手段、前記第２の中間データをネットワークに送信する手段を備えた画像処理装置と、ネットワークを介して通信可能に接続され、前記携帯型の記憶媒体に書き込まれた第１の中間データを読み出す読出手段と、ネットワークを介して前記画像処理装置から送信されてくる第２の中間データを取得するデータ取得手段と、前記第１および第２の中間データを組み合わせて所定フォーマットのファイルを生成する画像処理手段と、前記第１の中間データを表示する表示手段とを備えることを特徴とする。
【発明の効果】
【００１７】
上記構成の画像処理システムでは、画像処理装置において、画像データを圧縮変換して生成される第１の中間データは、携帯型の記憶媒体を介して情報処理端末に取り込まれ、第１の中間データから文字領域を抽出して生成される第２の中間データは、ネットワークを介して情報処理端末に送信され、情報処理端末において、第１および第２の中間データを組み合わせて所定フォーマットのファイルが生成される構成となっている。
【００１８】
この構成によれば、第１の中間データと第２の中間データのうち、第２の中間データのみをネットワークを介して情報処理端末に送信しているので、両方の中間データを、ネットワークを介して情報処理端末に送信する場合と比べて、ネットワーク負荷を軽減することができる。
また、ユーザーは、第２の中間データが生成されるまで画像処理装置の傍で待たなくてもよく、第１の中間データが生成されて携帯型の記憶媒体に書き込まれた時点で、携帯型の記憶媒体を持って離れることができるようになる。その後、ユーザーは、情報処理端末で第１の中間データを読み込み、表示手段に表示して確認することができるので、従来よりも、画像の品質を早く確認することができる。
【図面の簡単な説明】
【００１９】
【図１】本実施の形態に係る画像処理システムの構成を示す概略図である。
【図２】画像処理システムを構成するＭＦＰとパソコンにおける各制御部の構成を示すブロック図である。
【図３】スキャンしたデータを送る宛先を選択する画面の一例を示す図である。
【図４】出力フォーマットを選択する画面の一例を示す図である。
【図５】ＭＦＰが有するＲＯＭに格納されたフォーマット変換に関するプログラムの一例を示す図である。
【図６】スキャンｔｏＵＳＢ処理の概要を説明するための図である。
【図７】スキャンｔｏＵＳＢ処理の内容を示すフローチャートである。
【図８】所定フォーマットのファイル生成処理の内容を示すフローチャートである。
【図９】第１および第２の中間データのファイル名の一例を示す図である。
【図１０】第２の中間データの内容を説明するための図である。
【図１１】ＵＳＢメモリーを介しての、ＭＦＰとパソコンとの連携を示すシーケンス図である。
【図１２】変形例に係る画像処理システムの構成を示す概略図である。
【発明を実施するための形態】
【００２０】
（１）全体構成
以下、本発明に係る画像処理システムの実施の形態について、図面を参照しながら説明する。
図１は、本実施の形態に係る画像処理システムの構成を示す概略図であり、画像処理装置としてのカラー複合機１（以下、「ＭＦＰ１」という）と、パソコン２と、これらを接続するネットワーク（ＬＡＮ４）が示されている。
【００２１】
ＭＦＰ１は、主な構成要素として、プリンター部１０、給紙部２０、スキャナー部３０、操作パネル４０、制御部５０を備え、ＬＡＮ４を介して接続されたパソコン２など外部端末からのプリントジョブの実行指示を受付け、プリントを実行する機能を有するとともに、スキャン、コピー、ファクスなど各種ジョブを実行する機能を有している。
スキャナー部３０は、原稿載置台３１上にセットされた原稿を１枚ずつ繰り出して搬送し、その原稿画像を読み取って画像データを生成する（スキャン）。
【００２２】
プリンター部１０は、スキャナー部３０で読み取った画像データや、外部端末からプリントジョブとともに送られてくる画像データに基づいて、給紙部２０から搬送されてくる記録シートに印刷する（コピー、プリント）。
給紙部２０は、給紙カセットに収容された記録シートを、一枚ずつ繰り出してプリンター部１０へとタイミングを計って搬送する。
【００２３】
操作パネル４０は、プリンター部１０上部の、操作しやすい位置に配されている。操作パネル４０は、タッチパネル式液晶ディスプレイや、操作ボタン等から構成され、ユーザーより、スキャン、コピー、ファクスなどジョブの実行指示を受付けるとともに、ジョブの実行結果等を表示する。
制御部５０は、プリンター部１０、給紙部２０、スキャナー部３０、および操作パネル４０を統括的に制御する。
【００２４】
また、ＭＦＰ１は、ＵＳＢメモリー３（不揮発性メモリー）を接続するＵＳＢインターフェース（Ｉ／Ｆ）部５５を有しており、例えば、原稿をスキャンして得られる画像データを、ＵＳＢＩ／Ｆ部５５を介してＵＳＢメモリー３に保存する、いわゆるスキャンｔｏＵＳＢ機能を有している。
パソコン２は、ＵＳＢインターフェース（Ｉ／Ｆ）部２０５を有しており、ＵＳＢメモリー３を介して、ＭＦＰ１で生成された画像データを取り込むことができる。
（２）ＭＦＰ、パソコンの制御部の構成
図２は、ＭＦＰ、パソコンにおける各制御部の構成を示すブロック図である。
【００２５】
まず、パソコン２の制御部２００は、ＣＰＵ（Central Processing Unit）２０１、ＲＯＭ（Read Only Memory）２０２、ＲＡＭ（Random Access Memory）２０３、ハードディスク２０４、上記ＵＳＢＩ／Ｆ部２０５、通信Ｉ／Ｆ部２０６、などを備える。
ＣＰＵ２０１は、オペレーションシステム（ＯＳ）やアプリケーションプログラムなどを実行する。ＲＯＭ２０２は、ＣＰＵ２０１により実行される各種プログラムを格納するストレージである。ＲＡＭ２０３は、ＣＰＵ２０１がプログラムを実行するときのワークエリアである。ハードディスク２０４は、不揮発性の記憶媒体であり、ユーザーによってインストールされたプログラムおよび各種データを記憶する。通信Ｉ／Ｆ部２０６は、ＬＡＮに接続するためのＬＡＮカード、ＬＡＮボードといったインターフェースである。
【００２６】
ＭＦＰ１の制御部５０は、ＣＰＵ５１、ＲＯＭ５２、ＲＡＭ５３、ハードディスク５４、上記ＵＳＢＩ／Ｆ部５５、通信Ｉ／Ｆ部５６などを備える。
ＣＰＵ５１は、プリンター部１０、給紙部２０、スキャナー部３０、操作パネル４０を制御するためのプログラムを実行する。ＲＯＭ５２は、ＣＰＵ５１により実行される各種プログラムを格納するストレージである。ＲＡＭ５３は、ＣＰＵ５１がプログラムを実行するときのワークエリアである。ハードディスク５４には、スキャンしたデータを保管する格納領域（ＢＯＸ）が複数設定されている。
【００２７】
ＭＦＰ１の電源（不図示）をオンして起動すると、ＣＰＵ５１がＲＯＭ５２からプログラムを読み出して、操作パネル４０に、スキャン、コピー、ファクスモードを選択するためのモード選択画面（不図示）を表示する。
ユーザーによりスキャンモードが選択されると、ＣＰＵ５１は、操作パネル４０に、スキャン時の解像度、階調等の設定画面（不図示）、スキャンして得られたデータを送る宛先（保存先）を選択する画面４１（図３）、出力フォーマットを選択する画面４２（図４）を順番に表示して、ユーザーによる選択を受け付ける。
【００２８】
図３に示すように、宛先として、ＳＭＢ（Server Message Block）プロトコルによりファイル共有が設定されたパソコンや、ＦＴＰサーバー、ＵＳＢメモリー、ＢＯＸが選択可能に構成されている。
出力フォーマットとしては、図４に示すように、ＰＤＦ（Portable Document Format）、ＪＰＥＧ（Joint Photographic Experts Group）、ＴＩＦＦ（Tagged Image File Format）、サーチャブルＰＤＦ、コンパクトＰＤＦ、ＯＯＸＭＬ（Office Open Extensible Markup Language）を選択可能に構成されている。
【００２９】
ＰＤＦ、ＪＰＥＧ、ＴＩＦＦは、原稿をスキャンして得られるＲＡＷデータ（画像データ）を、公知の圧縮技術（ＰＤＦ圧縮、ＪＰＥＧ圧縮、ＴＩＦＦ圧縮）により圧縮して生成される。
サーチャブルＰＤＦとは、文字検索を可能にしたテキストレイヤー付きＰＤＦのことであり、上記ＰＤＦの画像データに対して、公知のレイアウト解析処理を施すことにより文字領域を抽出して、テキスト化（ＯＣＲ処理）し、そのデータをレイヤーとしてＰＤＦの画像データ（画像レイヤー）の文字領域に重ねることにより生成される。
【００３０】
コンパクトＰＤＦとは、画質を維持しつつファイルサイズを小さくしたＰＤＦのことであり、ＰＤＦの画像データから、サーチャブルＰＤＦと同様、文字領域を抽出して、公知の二値化処理を施すことにより文字領域を高圧縮して生成される。
ＯＯＸＭＬとは、マークアップ言語のＸＭＬをベースとしたオフィススイート用のファイルフォーマットのことであり、画像データ（例えばＰＤＦ）から文字、図、写真など各領域を抽出し、文字領域をテキスト化するとともに、ＯＯＸＭＬの仕様（公知）に基づいて、各領域に適当なタグを付与して生成される。
【００３１】
以下、ＲＡＷデータから、ＰＤＦ、ＪＰＥＧまたはＴＩＦＦの画像データを生成する画像処理のことを「第１画像処理」という。また、第１画像処理された画像データから文字領域を抽出し、抽出した文字領域に対してＯＣＲ、二値化など行う画像処理のことを「第２画像処理」といい、第１および第２画像処理により生成されたデータ（それぞれを「第１、第２の中間データＤ１，Ｄ２」ともいう。）を組み合わせて、サーチャブルＰＤＦ、コンパクトＰＤＦまたはＯＯＸＭＬを生成する処理を「第３画像処理」という。なお、ＯＯＸＭＬの場合は、画像データから図、写真などの非文字領域の抽出、および、文字領域および非文字領域のタグを生成する処理も第２画像処理に含むものとする。
【００３２】
図５は、ＭＦＰ１のＲＯＭ５２に格納されたフォーマット変換に関するプログラムの一例を示す図である。
同図に示すように、ＲＯＭ５２には、ＲＡＷデータからＰＤＦ、ＪＰＥＧ、ＴＩＦＦの画像データ（第１の中間データＤ１）を生成するプログラムＰ１〜Ｐ３、文字などの領域を抽出するレイアウト解析プログラムＰ４、抽出した領域から第２の中間データＤ２を生成するためのＯＣＲ処理、二値化処理、タグ生成の各プログラムＰ５〜Ｐ７、第１および第２の中間データＤ１，Ｄ２を組み合わせて、サーチャブルＰＤＦ、コンパクトＰＤＦ、ＯＯＸＭＬのファイルを生成する各プログラムＰａ〜Ｐｃが格納されている。
【００３３】
ＣＰＵ５１は、選択された出力フォーマットに応じて、ＲＯＭ５２から対応するプログラムを読み出し実行する。
また、一方、パソコン２には、図示しないが、ハードディスク２０４に、上記画像データ（ＰＤＦ、ＪＰＥＧ、ＴＩＦＦ）を表示するプログラムがインストールされている（例えば、ＰＤＦ表示用にＡｃｒｏｂａｔＲｅａｄｅｒなど）。
【００３４】
（３）スキャンｔｏＵＳＢ処理について
宛先としてＵＳＢメモリーを選択したときの「スキャンｔｏＵＳＢ処理」では、ユーザーは、ＵＳＢメモリーにデータが保存されるまでＭＦＰ１の傍で待たなければならないので、特に、文字領域に対する画像処理（第２画像処理）が必要なフォーマットのファイルを出力する場合には、待ち時間が大幅に長くなり、ユーザーにストレスを与えてしまう。しかも、この間、第１画像処理により得られる画像データの品質の良否を確認することもできず不便である。
【００３５】
そこで、本実施の形態では、スキャンｔｏＵＳＢ処理において、ユーザーの待ち時間を短縮して、画像データの品質確認ができるだけ早く行うことができるようにしつつ、ネットワーク負荷を軽減できるように、上記第１〜第３画像処理をＭＦＰ１とパソコン２とで分担して行う構成とした。
図６は、本実施の形態における、スキャンｔｏＵＳＢ処理の概要を説明するための図である。なお、同図では、サーチャブルＰＤＦを出力する場合を例示している。
【００３６】
図６に示すように、本実施の形態では、ＭＦＰ１が、第１および第２画像処理Ｘ１，Ｘ２を行い、パソコン２が第３画像処理Ｘ３を行うよう構成されている。
ＭＦＰ１は、第１画像処理Ｘ１により生成した第１の中間データＤ１を、ＵＳＢメモリー３を介してパソコン２に引き渡し、第２画像処理により生成した第２の中間データＤ２（テキストデータ）を、ＬＡＮ４を介してパソコン２に送信する。パソコン２は、第１および第２の中間データＤ１，Ｄ２をそれぞれ取得した後、第３画像処理Ｘ３を行うことにより、所定フォーマットのファイル（ここでは、サーチャブルＰＤＦ）を生成する。
【００３７】
これにより、ユーザーは、第１画像処理Ｘ１が済んだ時点で、ＭＦＰ１からＵＳＢメモリー３を取り外し、自席のパソコン２に戻って（または近くのパソコンで）、スキャンして得られた画像データ（第１の中間データＤ１）を表示し確認することができる。
ここでは、第２の中間データＤ２を、ＬＡＮ４を介してパソコン２に送信する構成としているが、第２の中間データＤ２はテキストデータであり、画像データとなる第１の中間データＤ１と比べてデータサイズは小さいので、第１の中間データＤ１を、ＬＡＮ４を介して送信する場合よりも、ネットワーク負荷を軽減することができる。
【００３８】
以下、ＭＦＰ１側の処理を「スキャンｔｏＵＳＢ処理」といい、パソコン２側の処理を「所定フォーマットのファイル生成処理」という。
図７は、ＭＦＰ１で実行される「スキャンｔｏＵＳＢ処理」の内容を示すフローチャートである。
この制御は、ＭＦＰ１全体を制御するメインフローチャート（不図示）のサブルーチンとして実施されるものである。
【００３９】
ＭＦＰ１の制御部５０は、操作パネル４０より、スキャンモードにおいてデータの保存先としてのＵＳＢメモリーが選択されることにより、スキャンｔｏＵＳＢモードの指定を受け付け（ステップＳ１０１）、ＵＳＢＩ／Ｆ部５５にＵＳＢメモリー３が接続されていれば（ステップＳ１０２：Ｙｅｓ）、操作パネル４０に、出力フォーマットの選択画面４２（図４）を表示する（ステップＳ１０３）。ＵＳＢメモリー３が接続されていなければ（ステップＳ１０２：Ｎｏ）、接続されるのを待って、出力フォーマットの選択画面４２を表示する。
【００４０】
この後、制御部５０は、出力フォーマットとして、文字領域に対する画像処理（第２画像処理）を必要とするフォーマット（ここでは、サーチャブルＰＤＦ、コンパクトＰＤＦ、ＯＯＸＭＬ）が選択されたか否かにより、以降の処理を切り替える（ステップＳ１０４）。
まず、文字領域に対する画像処理が必要でないフォーマット（ＰＤＦ、ＪＰＥＧ、ＴＩＦＦ）が選択された場合には（ステップＳ１０４：Ｎｏ）、制御部５０は、原稿載置台３１上にセットされた原稿を１枚ずつ繰り出しスキャンしてＲＡＷデータを生成し（ステップＳ１１３）、第１画像処理を実行する（ステップＳ１１４）。この第１画像処理により生成された画像データをＵＳＢメモリー３に保存する（ステップＳ１１５）。
【００４１】
第１画像処理は、ＲＯＭ５２に格納された、選択されたフォーマットデータを生成するためのプログラム（図５のＰ１〜Ｐ３のいずれか）を読み出して実行することにより行われる。
ＵＳＢメモリー３に保存するときの画像データのファイル名は、特に限定するものではなく、例えば、ＵＳＢメモリー３に保存する日時を用いて機械的に作成することができる（図９参照）。
【００４２】
続いて、制御部５０は、操作パネル４０に「ＵＳＢメモリーの取り外し可能」のメッセージを表示し（ステップＳ１１６）、不図示のメインフローチャートにリターンする。
ユーザーは、このメッセージを見て、ＭＦＰ１からＵＳＢメモリー３を取り外し、自席のパソコン２に戻って、または近くのパソコンにおいて、スキャンして得られた画像データを表示し確認することができる。
【００４３】
文字領域に対する画像処理が必要なフォーマットが選択された場合にも（ステップＳ１０４：Ｙｅｓ）、先ず、制御部５０は、原稿載置台３１上にセットされた原稿を１枚ずつ繰り出しスキャンしてＲＡＷデータを生成し（ステップＳ１０５）、第１画像処理を実行して（ステップＳ１０６）、生成された画像データ（第１の中間データＤ１）をＵＳＢメモリー３に保存する（ステップＳ１０７）。ここまでは、上記ステップＳ１１３〜Ｓ１１５と同じ処理となっているが、以降の処理が異なる。
【００４４】
すなわち、この後、後続ステップＳ１１１（第２画像処理）で生成すべき、第２の中間データＤ２のファイル名と格納先の情報と、第１および第２の中間データＤ１，Ｄ２を組み合わせて選択されたフォーマットのファイルを生成するプログラム（図５のＰａ〜Ｐｃのいずれか）をＵＳＢメモリー３に書き込み保存する（ステップＳ１０８，Ｓ１０９）。また、ここでは、上記プログラム（Ｐａ〜Ｐｃのいずれか）とともに、第２の中間データ取得プログラムＰｄ（図５）をＵＳＢメモリー３に書き込み保存する（図６も参照）。
【００４５】
第２の中間データ取得プログラムＰｄは、上記第２の中間データＤ２のファイル名と格納先の情報に基づいて、ネットワークを介して、ＭＦＰ１から第２の中間データＤ２を取得するためのプログラムであり、パソコン２から第２の中間データＤ２を取得する際のユーザー負荷を軽減するためのものである。
第２の中間データＤ２のファイル名も、特に限定するものではないが、例えば、第１の中間データＤ１のファイル名に「No2」を付加して、第２の中間データＤ２のファイル名としても構わない（図９参照）。このようにすると、ユーザーが、ファイル名より、第１の中間データＤ１と第２の中間データＤ２との対応関係を容易に把握できる。
【００４６】
格納先の情報は、例えば、ＭＦＰ１のＩＰアドレス、第２の中間データＤ２を格納するハードディスク５４のフォルダのパスなどであり、ＬＡＮ４を介して、第２の中間データＤ２を取得するときに用いられる。
上記ステップＳ１０９の後、操作パネル４０に「ＵＳＢメモリーの取り外し可能」のメッセージを表示する（ステップＳ１１０）。この時点で、ユーザーは、ＭＦＰ１からＵＳＢメモリー３を取り外し、自席のパソコン２に戻って、または近くのパソコンにおいて、スキャンして得られた画像データを表示し確認することができる。
【００４７】
続いて、制御部５０は、第２画像処理を実行し（ステップＳ１１１）、生成された第２の中間データＤ２を、上記ファイル名で、上記格納先に保存して（ステップＳ１１２）、不図示のメインフローチャートにリターンする。
第２画像処理は、上記ステップＳ１０６で生成された第１の中間データＤ１（ＲＡＭ５３に保持されている）に対し、まず、レイアウト解析プログラムＰ４（図５参照）の実行により文字などの領域を抽出して、抽出した領域から、第２の中間データＤ２を作成するプログラム（図５のＰ５〜Ｐ７のいずれか）を実行することにより行われる。
【００４８】
図１０は、第２画像処理により生成される第２の中間データＤ２の内容を説明するための図である。
同図に示すように、第２の中間データＤ２は、サーチャブルＰＤＦの場合には、文字データ（テキストデータ）と、抽出して切り出した文字領域の切出座標データ（テキストデータ）で構成される。ここで、「切出座標データ」とは、画像データ（例えばＰＤＦ）から抽出して切り出された文字領域の輪郭線の、画像データの該当ページ内の相対位置を示す座標データであり、レイアウト解析プログラムＰ４により出力される。
【００４９】
コンパクトＰＤＦの場合の第２の中間データＤ２は、二値化された文字領域データ（バイナリデータ）と、文字領域の切出座標データで構成される。
ＯＯＸＭＬの場合の第２の中間データＤ２は、文字データを含むタグ付きのテキストデータと、図、写真など非文字領域の切出座標データで構成される。ここでの「タグ」は、タグ生成プログラムＰ７により、予め決められた基準に基づいて設定される。なお、ここでは、図、写真など非文字領域の画像のリンク先情報に代えて、各領域の切出座標データをタグ内に記載する。
【００５０】
以上で、「スキャンｔｏＵＳＢ処理」を終了する。
（４）所定フォーマットのファイル生成処理について
図８は、パソコン２で実行される「所定フォーマットのファイル生成処理」の内容を示すフローチャートである。
パソコン２の制御部２００は、ＵＳＢＩ／Ｆ部２０５に、所定フォーマットのファイル生成プログラム（図５のＰａ〜Ｐｃのいずれか）が保存されたＵＳＢメモリー３が接続されると（ステップＳ２０１：Ｙｅｓ）、まず、ハードディスク２０４から第１の中間データを表示するプログラム（ここでは、ＡｃｒｏｂａｔＲｅａｄｅｒ）を起動し、かつ第１の中間データＤ１を、ＵＳＢメモリー３から読み込み、ディスプレイ２１０（図６）に表示する（ステップＳ２０２）。
【００５１】
また、これとともに、ディスプレイ２１０上に、第２の中間データ取得プログラムＰｄを起動するためのアイコン２２０（図６）を表示する。
ユーザーは、ディスプレイ２１０に表示された画像データ（第１の中間データＤ１）を見て、画像品質の良否を確認し、特に問題が無ければ、アイコン２２０をクリックすることにより、第２の中間データＤ２の取得とともに、所定フォーマットのファイル生成を指示することができる。
【００５２】
制御部２００は、アイコン２２０のクリックを介して、第２の中間データＤ２の取得指示を受け付けると（ステップＳ２０３：Ｙｅｓ）、第２の中間データ取得プログラムＰｄを起動して、ＵＳＢメモリー３より第２の中間データＤ２のファイル名と格納先情報を読み込み（ステップＳ２０４）、次いで、格納先情報に基づき、ＭＦＰ１に対して第２の中間データＤ２の送信を要求する（ステップＳ２０５）。
【００５３】
この後、ＭＦＰ１から第２の中間データＤ２が送られ、受信すれば（ステップＳ２０６：Ｙｅｓ）、制御部２００は、第１および第２の中間データＤ１，Ｄ２を組み合わせて、選択されたフォーマットのファイルを生成するプログラム（Ｐａ〜Ｐｃのいずれか）を起動して、第３画像処理を実行する（ステップＳ２０７）。
第３画像処理により生成された所定フォーマットのファイルは、ディスプレイ２１０に表示するとともに、ハードディスク２０４に保存し（ステップＳ２０８）、不図示のメインフローチャートにリターンする。
【００５４】
第３画像処理において、サーチャブルＰＤＦのファイルを生成する場合、制御部２００は、サーチャブルＰＤＦ生成プログラムＰａの実行によって、第２の中間データＤ２の文字データからＰＤＦのテキストレイヤーを生成して、生成したテキストレイヤーを、文字領域の切出座標データに基づき第１の中間データＤ１の画像レイヤーに重ね合わせることによりサーチャブルＰＤＦを生成する。
【００５５】
コンパクトＰＤＦのファイルを生成する場合には、制御部２００は、コンパクトＰＤＦ生成プログラムＰｂの実行によって、第２の中間データＤ２の文字領域の切出座標データに基づき、第１の中間データＤ１における文字領域を抽出して、抽出した文字領域のデータと第２の中間データＤ２に含まれる二値化された文字領域データとを差し替えることによりコンパクトＰＤＦを生成する。
【００５６】
また、ＯＯＸＭＬのファイルを生成する場合には、制御部２００は、ＯＯＸＭＬ生成プログラムＰｃの実行によって、タグ内に記載された切出座標データに基づいて第１の中間データＤ１から画像データを切出し、所定のデータ格納先（例えばハードディスク２０４に作成した格納フォルダ）に格納するとともに、タグ内の切出座標データに代えて、当該格納先をリンク先として記載することによりＯＯＸＭＬを生成する。
【００５７】
以上で、「所定フォーマットのファイル生成処理」を終了する。
図１１は、ＭＦＰ１の「スキャンｔｏＵＳＢ処理」と、パソコン２の「所定フォーマットのファイル生成処理」とが、ＵＳＢメモリー３を介して連携される様子を示すシーケンス図である。
同図では、ＭＦＰ１におけるスキャンの実行（ステップＳ１０５）以降の処理が示されている。なお、図１１に示す各処理は、図７および図８に示すフローチャートの処理と同じであるので、ここでは、同じステップ番号を付し、その説明は省略する。
【００５８】
本実施の形態では、ＭＦＰ１の制御部５０が、図７のステップＳ１０６を実行するときに、第１の中間データＤ１を生成する第１画像処理手段として機能し、図７のステップＳ１１１を実行するときに、第２の中間データＤ２を生成する第２画像処理手段として機能している。また、制御部５０が、図７のステップＳ１０７を実行するときに、携帯型の記憶媒体（ＵＳＢメモリー３）に書き込む書込手段として機能し、図１１のステップＳ２０６において、情報処理端末（パソコン２）に第２の中間データＤ２を送信するときに、送信手段として機能している。
【００５９】
パソコン２の制御部２００が、図８のステップＳ２０２を実行するときに、第１の中間データＤ１を読み出す読出手段として機能し、図８のステップＳ２０６を実行するときに、第２の中間データＤ２を取得する取得手段として機能し、図８のステップＳ２０７を実行するときに、所定フォーマットのファイルを生成する第３画像処理手段として機能している。また、制御部２００が、図８のステップＳ２０４を実行するときに、第２の中間データの格納先に関する情報を取得する格納先情報取得手段として機能する。
【００６０】
＜変形例＞
本発明は、上記実施の形態に限定されるものではなく、次のような変形例も考えることができる。
（１）上記実施の形態では、携帯型の記憶媒体としてＵＳＢメモリーを用いて説明したが、これに限定するものではない。
【００６１】
例えば、ＳＤカードなどのメモリーカードを用いることができる。この場合、図４に示す宛先を選択する画面に、メモリーカードを加えて選択できるようにする。
また、スマートフォンやＰＤＡなどの携帯端末の内蔵メモリーを用いることもできる。
図１２は、スマートフォンを用いたときの構成を説明するための図である。
同図に示すスマートフォン５は、ＬＡＮ４上のルーター（不図示）とＷｉ−Ｆｉ接続され、無線ＬＡＮおよび有線ＬＡＮを介してＭＦＰ１と通信可能に接続されている。
【００６２】
なお、ＭＦＰ１で生成された第１の中間データを取得する際は、ネットワーク負荷の軽減のため、一旦、Ｗｉ−Ｆｉ接続を解除し、ＭＦＰ１との間をネットワーク接続からローカル接続（例えば、ブルートゥース（登録商標）接続）に切り替える。
この場合、図４に示す宛先を選択する画面４２において、ブルートゥース接続の端末が選択できるように構成しておく。そして、スマートフォン５とＭＦＰ１とをブルートゥース接続した状態で、ＭＦＰ１によるスキャンを実行し、生成した第１の中間データＤ１をスマートフォン５が有する不揮発性の内蔵メモリーに書込み保存する。
【００６３】
この際、上記実施の形態と同様、第２の中間データＤ２のファイル名と格納先の情報を内蔵メモリーに書き込んでも構わないが、ここでは、ＭＦＰ１が、第２の中間データＤ２を生成次第、ネットワークを介して第２の中間データＤ２をスマートフォン５に送信する構成としている。
具体的には、例えば、ＭＦＰ１において、制御部５０が、第１の中間データＤ１をスマートフォン５に書き込む際、スマートフォン５のＭＡＣアドレスを取得してＲＡＭ５３またはハードディスク５４に記憶しておくことで、第２の中間データＤ２を生成したときに、ＲＡＲＰ（Reverse Address Resolution Protocol）コマンドによってスマートフォン５のＩＰアドレスを取得し、ネットワークを介して送信することができる。
【００６４】
これにより、ユーザーは、第２の中間データＤ２が生成されたか否かを確認する手間も必要なく、第２の中間データＤ２が出来次第、すぐに所定フォーマットのファイル（図１２ではサーチャブルＰＤＦ）を生成して取得することができる。
上記ローカル接続は、ブルートゥース接続に限定するものでなく、例えば、赤外線接続、Ｗｉ−Ｆｉ  Ｄｉｒｅｃｔ接続、またはＵＳＢケーブルを介しての有線接続を用いても構わない。
【００６５】
（２）上記実施の形態では、ＭＦＰ１で生成した第２の中間データＤ２を、一旦ハードディスク５４に保存し、パソコン２からの要求があれば送信する構成を示したが、これに限定するものではない。
例えば、上記変形例（１）と同じように、第２の中間データＤ２を生成したときに、ネットワークを介して、パソコン２に送信させる構成としても構わない。図４の宛先の選択画面４２において、第１の中間データＤ１と、第２の中間データＤ２をそれぞれ個別に選択できるよう構成して、第１の中間データＤ１の宛先にＵＳＢメモリー３を、第２の中間データＤ２の宛先にパソコン２を選択することにより、第２の中間データＤ２が出来次第、第２の中間データＤ２をパソコン２に送信することができる。
【００６６】
（３）上記実施の形態では、所定フォーマットのファイル生成プログラム（図５のＰａ〜Ｐｃ）をＵＳＢメモリー３に書き込み、ＵＳＢメモリー３を介してパソコン２に導入する構成を示したが、これに限定するものではない。
例えば、ユーザーが、パソコン２を操作して、ＭＦＰ１のＲＯＭ５２にアクセスし、所定フォーマットのファイル生成プログラムを取得する構成としても構わない。このようにすれば、ファイル生成プログラムのＵＳＢメモリー３への書き込みが不要になる分、ユーザーの待ち時間を短縮することができる。
【００６７】
（４）上記実施の形態では、第２の中間データＤ２を取得するプログラムＰｄをＵＳＢメモリー３に書き込み、ＵＳＢメモリー３を介してパソコン２に導入する構成を示したが、これに限定するものではない。
例えば、ユーザーが、パソコン２を操作して、ＭＦＰ１のＲＯＭ５２にアクセスし、第２の中間データ取得プログラムＰｄを取得する構成としても構わない。この場合も、第２の中間データ取得プログラムＰｄのＵＳＢメモリー３への書き込みが不要になる分、ユーザーの待ち時間を短縮することができる。
【００６８】
また、第２の中間データＤ２の取得は、プログラムによる自動取得の構成に限定するものではなく、例えば、ユーザーが、パソコン２を操作して、手動で第２の中間データＤ２を取得する構成としても構わない。ユーザーは、ＵＳＢメモリー３に記憶された第２の中間データＤ２のファイル名と格納先情報に基づいて、ＭＦＰ１にアクセスして取得することができる。
【００６９】
（５）上記実施の形態では、パソコン２のハードディスク２０４に、第１の中間データを表示するプログラムが予めインストールされていることを前提に説明したが、この構成に限定するものではない。
例えば、ＰＤＦ、ＪＰＥＧ、ＴＩＦＦのような広く普及した画像フォーマットであっても、ユーザーのパソコンに、当該画像を表示するプログラムがインストールされているとは限らないので、ＭＦＰ１が、第１の中間データＤ１をＵＳＢメモリー３に書き込む際、第１の中間データＤ１を表示するプログラムも一緒にＵＳＢメモリー３に書き込むように構成しても構わない。これにより、画像を表示するプログラムをインターネットで探したり、ダウンロードしたりするユーザーの手間を省くことができる。
【００７０】
（６）上記実施の形態では、パソコン２側において、まず第１の中間データＤ１を表示して確認し、その後、第２の中間データＤ２を取得して所定フォーマットのファイルを生成する構成を示したが、これに限定するものではない。
例えば、ユーザーが、スキャンモード設定の際に指定した解像度、階調などにより、第１の中間データＤ１の画像品質がある程度予想できているような場合には、第１の中間データＤ１を表示し確認するステップ（図８のステップＳ２０２）を飛ばして、所定フォーマットのファイルを生成するよう構成しても構わない。
【００７１】
具体的には、例えば、第１の中間データＤ１を表示するか、所定フォーマットのファイルを生成するかを選択するための選択画面（プログラム）を用意し、ファイル生成プログラムなどとともにＵＳＢメモリー３に書込み、ＵＳＢメモリー３がパソコン２に接続されたとき、当該選択画面が自動的に表示されるよう構成することにより（Ａｕｔｏｒｕｎ機能）、ユーザーは、第１の中間データＤ１を表示するか否かを選択することができる。
【００７２】
（７）上記実施の形態では、１回のスキャンにより得られたデータ、およびファイル生成のための各プログラムを、ＵＳＢメモリー３に書き込み、パソコンにおいて所定フォーマットのファイルを生成するところまで説明したが、その後、さらに、スキャンしたデータを、同じＵＳＢメモリー３に書き込む際には、出力フォーマットが同じ場合には、ファイル生成のための各プログラムをＵＳＢメモリー３に書き込まなくても構わない。
【００７３】
この場合、ＵＳＢメモリー３には、第１の中間データＤ１、第２の中間データＤ２のファイル名、格納先情報が、それぞれ複数記憶されるので、パソコン２側における、第１の中間データＤ１の表示、第２の中間データＤ２の取得、所定フォーマットのファイル生成の際には、対象となる第１の中間データＤ１、および第２の中間データＤ２をそれぞれ選択するよう構成するのが望ましい。
【００７４】
一方、上記において、出力フォーマットが異なる場合には、該当するファイル生成プログラムをＵＳＢメモリー３に書込み、パソコン２側において、ユーザーが、出力対象フォーマットのファイル生成プログラムを選択し起動する構成とすればよい。例えば、複数のファイル生成プログラムの中から１つのプログラムを選択する選択画面（プログラム）を用意すれば、ユーザーが選択しやすく利便性を向上させることができる。
【００７５】
また、例えば、パソコンにおいて、第３画像処理により所定フォーマットのファイルを生成した後、ＵＳＢメモリー３に記憶されているデータ（第１の中間データＤ１、第２の中間データＤ２のファイル名、格納先情報、およびファイル生成のための各プログラム）を消去する構成としても構わない。当該消去により、次にスキャンしたデータをＵＳＢメモリー３に書き込む際、該当するファイル生成プログラムをＵＳＢメモリー３に書き込むか否かを判定しなくてもよく、また、パソコン側において、第１の中間データＤ１を複数の中から選択する必要がないので、制御を簡単にすることができる。
【００７６】
（８）上記実施の形態では、第２の中間データＤ２を、第１の中間データＤ１から文字などの領域を抽出して所定の画像処理を施すことにより生成する構成を示したが、これに限定するものではなく、例えば、原稿をスキャンして得られるＲＡＷデータから、第２の中間データＤ２を生成する構成としても構わない。
（９）上記実施の形態では、原稿載置台３１上にセットされた原稿を１枚ずつ繰り出してスキャンする、いわゆるシートスルースキャンモードの構成を用いて説明したが、これに限定するものではなく、例えば、プラテンガラス上に原稿を載置してスキャンするミラースキャンモードにも本発明を適用することができる。
【００７７】
（１０）上記実施の形態では、画像処理装置として、カラー複合機を用いて説明したが、本発明の適用範囲は、これに限らず、モノクロ複合機、カラースキャナー、モノクロスキャナーなどに適用することができる。
また、上記実施の形態及び変形例の内容は、可能な限り組み合わせても構わない。
【産業上の利用可能性】
【００７８】
本発明に係る画像処理システムは、原稿をスキャンして得られた画像データを情報処理端末に取り込む際のネットワーク負荷を軽減し、かつ画像品質を迅速に確認できるようにするための技術として有用である。
【符号の説明】
【００７９】
１    ＭＦＰ
２    パソコン
３    ＵＳＢメモリー
４    ネットワーク
１０    プリンター部
２０    給紙部
３０    スキャナー部
４０    操作パネル
５０    制御部
２００    制御部
２１０    ディスプレイ
【図１】
2015088773.tif 000003
【図２】
2015088773.tif 000004
【図３】
2015088773.tif 000005
【図４】
2015088773.tif 000006
【図５】
2015088773.tif 000007
【図６】
2015088773.tif 000008
【図７】
2015088773.tif 000009
【図８】
2015088773.tif 000010
【図９】
2015088773.tif 000011
【図１０】
2015088773.tif 000012
【図１１】
2015088773.tif 000013
【図１２】
2015088773.tif 000014